(57)【要約】【課題】外部照明がない玄関先への来訪者に対し、夜間でも容易に子機設置場所を示すことが可能なテレビドアホン装置を提供することである。【解決手段】テレビドアホン装置は、通話手段と、呼出ボタン１３を含む呼出手段と、来訪者の呼出ボタン１３による呼出操作に基づいて該来訪者を撮像し、映像信号を生成するカメラ部１４と、来訪者を検出可能な非接触形物体検知センサ１５と、来訪者を照明する照明手段２１と、周囲照度を検出可能な照度センサ２２と、非接触形物体検知センサ１５で来訪者が検出されかつ照度センサ２２の検出照度が所定照度以下であるときに照明手段２１を調光点灯させ、前記呼出操作の後に照明手段２１の調光度を上げる子機側制御手段１９とを備えた子機１００を具備したものである。【選択図】図１
2008311966.tif 000002
【特許請求の範囲】
【請求項１】
通話手段と、呼出ボタンを含む呼出手段と、来訪者の前記呼出ボタンによる呼出操作に基づいて該来訪者を撮像し、映像信号を生成するカメラ部と、来訪者を検出可能な非接触形物体検知センサと、照明手段と、周囲照度を検出可能な照度センサと、前記非接触形物体検知センサで来訪者が検出されかつ前記照度センサの検出照度が所定照度以下であるときに前記照明手段を調光点灯させ、調光点灯中に前記呼出操作があったときに前記照明手段の調光度を上げる子機側制御手段とを備えた子機
を具備したことを特徴とするテレビドアホン装置。
【請求項２】
前記子機と伝送線路を介して接続する親機であって、通話手段と、前記子機からの呼出信号及び音声信号を検出、増幅、出力応答する手段と、前記子機で生成した映像信号を表示又は録画する映像表示手段又は録画手段と、前記子機のカメラ部で得られる映像信号を、前記映像表示手段又は録画手段に表示又は録画させる親機側制御手段とを備えた親機
を具備したことを特徴とする請求項１に記載のテレビドアホン装置。
【請求項３】
前記子機側制御手段は、前記非接触形物体検知センサで来訪者が検出されたときに、前記照度センサの検出照度に応じて、前記照明手段を調光点灯させることを特徴とする請求項１又は２に記載のテレビドアホン装置。
【請求項４】
前記照明手段の調光点灯は、前記照度センサの検出照度が低くなるに従い、調光度を上げることを特徴とする請求項３に記載のテレビドアホン装置。
【発明の詳細な説明】
【技術分野】
【０００１】
本発明は、カメラ付き子機と、子機からの映像信号を表示可能なモニタ又は録画再生可能な録画再生機能付き親機とで構成されるテレビドアホン装置に関する。
【背景技術】
【０００２】
従来、テレビドアホン装置として知られる録画機能付きインターホン装置は、共通の伝送線路を介して、親機と子機間で通話する双方向の音声通話機能と子機から親機へ画像伝送しモニタ表示するモニタ表示機能を有するほか、留守中の訪問者を撮像し自動録画する自動録画機能を有している（例えば、非特許文献１参照）。
【０００３】
従って、録画機能付きインターホン装置では、モニタ表示及び録画を実現するために、子機側に撮像素子を備え、親機側にテレビモニタ及び録画再生装置を備えており、子機側の撮像素子で得られた電気信号を映像信号に変換し、該映像信号を、子機と親機を繋ぐ２線の伝送線路を通して親機側に伝送し、親機のテレビモニタに表示すると共に録画再生できるようになっている。電源電圧は、交流電源を親機内で直流化した電圧が親機内の各部に供給されると共に、その直流化した電圧が親機側から子機側に伝送されるようになっている。また、音声信号は、子機側および親機双方に設けられた送受話機能により双方向の伝送が可能となっており、映像を見ながら、音声を送受できる構成となっている。このような構成では、例えば、音声信号及び電源電圧についてはそのままの信号状態で伝送し、映像信号は、画像伝送用の標準仕様（例えばＮＴＳＣ方式）を使用し、搬送波を映像信号で変調することで、搬送波に乗せて伝送している。
【０００４】
一方、インターホン装置には、夜間等の暗い状況での来訪者をモニタできるように子機側に照明手段として外部照明用白色ＬＥＤ及び照度センサを備えたものがある。このようなインターホン装置では、照度センサで子機周囲の照度を検出可能となっており、外部照明用白色ＬＥＤの点灯動作は、子機で来訪者が呼出ボタンを操作した後、照度センサが子機周囲の照度が一定照度以下であることを検出すると１００％点灯する。これにより、夜間でも来訪者を照明してカメラ部による来訪者の撮影が可能となる結果、暗い状況でのモニタ表示及び録画が可能となっている。
【０００５】
なお、録画機能付きインターホン装置は、屋内に設けられた親機と、玄関等の屋外に設けられた子機との間でハンズフリーで通話を行う機能を有し、子機からの呼び出しに応答して、親機に設けられた通話ボタンを操作して子機と親機の間で通話状態を成立させ、親機側において送話音レベルと受話音レベルを比較して、送話あるいは受話のうち高いレベルを有する方を自動的に優先させて交互通話させる自動交互切換方式が用いられている。
【非特許文献１】東芝ライテック（株）のインターネットホームページ：「商品紹介」「インターホン」「録画機能付ハンズフリーカラーテレビドアホン」〈URL：http://www.tlt.co.jp/tlt/new/phone/htv6002/htv6002.htm〉
【発明の開示】
【発明が解決しようとする課題】
【０００６】
ところで、インターホンの子機設置場所は玄関先であるが、設置環境はさまざまである。特に夜間時、外部照明がない玄関先であると周囲が暗く、子機設置場所が来訪者に分からないことがある。
【０００７】
そこで、本発明はこのような問題に鑑み、外部照明がない玄関先への来訪者に対し、夜間でも容易に子機設置場所を示すことが可能なテレビドアホン装置を提供することを目的とするものである。
【課題を解決するための手段】
【０００８】
請求項１の発明のテレビドアホン装置は、通話手段と、呼出ボタンを含む呼出手段と、来訪者の前記呼出ボタンによる呼出操作に基づいて該来訪者を撮像し、映像信号を生成するカメラ部と、来訪者を検出可能な非接触形物体検知センサと、照明手段と、周囲照度を検出可能な照度センサと、前記非接触形物体検知センサで来訪者が検出されかつ前記照度センサの検出照度が所定照度以下であるときに前記照明手段を調光点灯させ、調光点灯中に前記呼出操作があったときに前記照明手段の調光度を上げる子機側制御手段とを備えた子機を具備したことを特徴とする。
【０００９】
請求項２の発明は、請求項１に記載の発明のテレビドアホン装置において、前記子機と伝送線路を介して接続する親機であって、通話手段と、前記子機からの呼出信号及び音声信号を検出、増幅、出力応答する手段と、前記子機で生成した映像信号を表示又は録画する映像表示手段又は録画手段と、前記子機のカメラ部で得られる映像信号を、前記映像表示手段又は録画手段に表示又は録画させる親機側制御手段とを備えた親機を具備したことを特徴とする。
【００１０】
上記の説明で、子機側制御手段及び親機側制御手段はそれぞれ、例えば、マイクロコンピュータ又はＣＰＵで構成され、子機内の各部及び親機内の各部での通話、呼出、応答、表示及び撮像などの動作を制御する。  
映像表示手段は、液晶パネル、有機ＥＬなどのフラットディスプレイのほか、ＣＲＴ（陰極線管）であってもよい。
【００１１】
録画手段は、フラッシュメモリなどの半導体メモリのほかに、ＨＤ（ハードディスク）などの磁気記録媒体であってもよい。
【００１２】
非接触形物体検知センサは、赤外線反射方式、焦電型赤外線センサ方式、及び静電容量センサ方式などのセンサで構成され、人体から放射される赤外線に感応したり、或いは、手などの物体をかざすとその物体の接近に感応するセンサである。
【００１３】
非接触形物体検知センサを設けることにより、例えば、来訪者が玄関の子機の前に立ったとき、即ち来訪者が子機の呼出ボタンを押す以前の段階で、非接触形物体検知センサが来訪者を検知しかつ照度センサの検出照度が所定照度以下であるときに照明手段を調光点灯させ、前記呼出操作の後に前記照明手段を１００％点灯させる。本来、照明手段としての白色ＬＥＤを内蔵した子機の従来機能である夜間用照明手段を利用することによって、夜間でも来訪者が外部照明がない玄関先へ近づくだけで子機の照明手段が調光した状態で点灯し、容易に子機設置場所を分かるように示すことができる。呼出操作前の調光点灯は、子機の場所が分かる程度の明るさがあればよいので、少ない電力量で済み、電力消費を節約できる。そして、来訪者の撮影を必要とする呼出操作後には、従来通り、照明手段を本格点灯させて人物識別を可能なようにする。
【００１４】
請求項３の発明は、請求項１又は２に記載の発明のテレビドアホン装置において、前記子機側制御手段は、前記非接触形物体検知センサで来訪者が検出されたときに、前記照度センサの検出照度に応じて、前記照明手段を調光点灯させることを特徴とする。  
請求項４の発明は、請求項３に記載の発明のテレビドアホン装置において、前記照明手段の調光点灯は、前記照度センサの検出照度が低くなるに従い、調光度を上げることを特徴とする。
【００１５】
このようにすれば、呼出操作前の調光点灯によって、電力消費を節約した点灯が可能になるだけでなく、子機の場所が分かる明るさとして周囲照度に合った適切な照明を行うことができる。
【発明の効果】
【００１６】
請求項１の発明によれば、夜間でも来訪者が玄関先へ近づくだけで、外部照明がない玄関先であっても、容易に子機設置場所を見つけることができるテレビドアホン装置を提供できる。
【００１７】
請求項２の発明によれば、来訪者による呼出操作後は、照明手段を本格点灯させて来訪者を照明して、識別可能な程度に来訪者を撮像し、親機でモニタ表示したり、録画したりすることが可能なテレビドアホン装置を提供できる。
【００１８】
請求項３の発明によれば、呼出操作前の調光点灯は、例えば、夕方は２０％点灯、夜間は５０％点灯のように行い、呼出操作後は、調光度を上げて点灯させることができるテレビドアホン装置を提供できる。
【００１９】
請求項４の発明によれば、呼出操作前の調光点灯は、照度センサの検出照度が低くなるほど連続的に調光度を上げるように行うことが可能なテレビドアホン装置を提供できる。
【発明を実施するための最良の形態】
【００２０】
発明の実施の形態について図面を参照して説明する。  
［第１の実施形態］
図１は本発明の第１の実施形態のテレビドアホン装置のブロック図を示し、図２は図１のテレビドアホン装置の平面的な外観図を示している。
【００２１】
図２の外観から説明すると、テレビドアホン装置は、家屋の玄関や門などに設置されるカメラ付き子機１００と、家屋内に設置されるモニタ表示及び録画機能付き親機２００と、子機１００と親機２００を電気的に接続し、電源電圧，音声信号及び映像信号を多重伝送する２線の伝送線路３００とを備えている。
【００２２】
電源電圧は、交流電源電圧を親機２００で直流化したものが直流電圧として子機１００へ供給される。この電源電圧は、テレビドアホン装置の待機時は例えば６Ｖ程度の直流電圧が親機２００から子機１００へ供給されており、テレビドアホン装置の動作時（具体的には呼出ボタン１３操作後）は例えば１２〜１３Ｖ程度の直流電圧が親機２００から子機１００へ伝送される。  
音声信号は、数十Ｈｚ〜数十ｋＨｚの信号であって、そのままの信号状態で電源電圧に多重されて子機１００から親機２００へ、又は、親機２００から子機１００へ伝送される。
【００２３】
映像信号は、ＣＤＤ等の撮像素子から得られる撮像信号が例えばＮＴＳＣ方式の映像信号に変換され、更にこの映像信号で例えば１２〜１３ＭＨｚの搬送波を変調したものが伝送線路に多重される形で子機１００から親機２００へ伝送される。
【００２４】
子機１００は、マイク１１及びスピーカ１２を含む通話手段と、呼出操作部である呼出ボタン１３を含む呼出手段と、来訪者の呼出ボタン１３による呼出操作の呼出信号に基づいて子機周辺の来訪者を撮像し、映像信号を生成して出力するカメラ部１４と、来訪者有りを呼出操作前に非接触状態で検出可能な非接触形物体検知センサ１５と、来訪者を照明する照明手段である外部照明用ＬＥＤ２１と、周囲照度を検出可能な照度センサ２２とを備えている。呼出ボタン１３には、通電状態にあるときに赤色に点灯する通電表示灯１６が配設されている。通話手段は、マイク１１，スピーカ１２，２−４分離回路１７（図１参照）及び制御部１９（図１参照）で構成される。呼出手段は、呼出ボタン１３及び制御部１９で構成される。非接触形物体検知センサは、赤外線反射方式、焦電型赤外線センサ方式、及び静電容量センサ方式などのセンサがあり、人体などの物体が近づくとこれを検知する。
【００２５】
親機２００は、子機１００からの呼出信号及び音声信号を検出、増幅、出力応答する手段と、来訪者による呼出ボタン１３の呼出操作に基づいて子機１００内のカメラ部１４で撮像しかつ生成した映像信号を表示する映像表示手段としての映像表示部３１と、マイク３２及びスピーカ３３を含む通話手段と、録画メモリを含み、前記映像信号を録画及び再生する録画再生手段と、自動交互切換方式による自動通話モードに設定する通話ボタン３４と、録画ボタン，再生ボタン，セットボタン，モニタボタンを有し、録画，再生，セット，モニタの各操作を行う操作部３５とを備えている。通話ボタン３４には、通電状態にあるときに赤色に点灯する通電表示灯３６が配設されている。前述の呼出信号及び音声信号を検出、増幅、出力応答する手段は、検出回路４０（図１参照）及び制御部４３（図１参照）で構成され、子機からの呼出信号に応じてピンポン音（呼出音）を生成し子機側へ返送（応答）する機能も備えている。通話手段は、マイク３２，スピーカ３３，２−４分離回路４２（図１参照）及び制御部４３で構成される。録画再生手段は、操作部３５の録画ボタン及び再生ボタン，検出回路４０，制御部４３及び録画メモリ回路３８（図１参照）で構成される。映像表示部３１は、ＣＲＴ（陰極線管）、或いは、ＬＣＤ（液晶パネル）及び有機ＥＬ等のフラットディスプレイなどで構成される。
【００２６】
伝送線路３００は、２線で構成され、前述したように音声信号は子機と親機間を双方向に伝送され、映像信号は子機から親機への片方向に伝送され、電源電圧は親機から子機へ片方向に供給される。
【００２７】
次に、図１を参照して、本発明の第１の実施形態のテレビドアホン装置の構成を具体的に説明する。図２と同一部分には同一符号を付して説明する。  
子機１００は、マイク１１及びスピーカ１２、呼出ボタン１３、カメラ部１４、非接触形物体検知センサ１５、外部照明用ＬＥＤ２１、照度センサ２２のほかに、２−４分離回路１７と、変調回路１８と、子機側制御手段としての制御部１９と、電源回路２０と、駆動回路２３とを備えている。
【００２８】
マイク１１は、子機１００側の呼出ボタン１３が押された後、親機２００側で通話ボタン３４が押されることによって自動交互切換方式による自動通話モードが設定されたときに、来訪者の音声入力手段として用いられるものであり、スピーカ１２は、通話中に、親機２００側の在宅者がマイク３２から音声入力したときにその音声信号を子機１００側に音声出力するための音声出力手段として用いられるものである。
【００２９】
呼出ボタン１３は、来訪者が子機側から操作することによって、親機２００へ呼出信号を供給するためのものである。  
カメラ部１４は、ＣＣＤ等の撮像素子及びその駆動回路と、撮像信号を例えばＮＴＳＣ方式の映像信号に変換するための映像信号生成回路とを備える。
【００３０】
非接触形物体検知センサ１５は、人体から放射される赤外線に感応したり、或いは、手などの物体をかざすとその物体の接近に感応するセンサであり、赤外線反射方式、焦電型赤外線センサ方式、及び静電容量センサ方式などのセンサで構成される。
【００３１】
外部照明用ＬＥＤ２１は、例えば２〜３個の白色ＬＥＤを接続して構成され、来訪者を照明する照明手段として用いられる。  
照度センサ２２は、例えばフォトダイオードとその出力電流を電圧に変換する電流−電圧変換回路で構成され、周囲照度を測定可能である。
【００３２】
駆動回路２３は、外部照明用ＬＥＤ２１を例えば定電流で駆動するもので、照度センサ２２からの照度値に応じて外部照明用ＬＥＤ２１の調光率を０〜１００％の間で制御することが可能である。また、閾値を設けて、周囲が暗くなると（約１０ルクス以下）、外部照明用ＬＥＤ２１を自動的に所定の調光率で調光点灯してもよい。なお、照度センサの検出照度が所定照度以下であるときにどのような調光点灯の制御を行うにせよ、その後に子機の呼出ボタン１３が押されたときは、外部照明用ＬＥＤ２１を１００％点灯するようにしている。
【００３３】
２−４分離回路１７は、ハイブリッドトランスを備え、共通線路である２線の伝送線路３００を、子機側スピーカ１２への２線線路と子機側マイク１１への２線線路との２線２組の４線に分離する構成を有し、子機側マイク１１からの音声信号を伝送線路３００に導くと共に伝送線路３００側からの音声信号を分離して子機側スピーカ１２に導く。
【００３４】
変調回路１８は、カメラ部１４で生成された例えばＮＴＳＣ方式の映像信号を１２〜１３ＭＨｚの搬送波に変調して出力する。
【００３５】
制御部１９は、マイクロコンピュータやＣＰＵ等で構成されており、非接触形物体検知センサ１５による人体等の物体を検出した第１の検知信号及び呼出ボタン１３による呼出操作を検出した第２の検知信号が入力される。そして、例えば第１の検知信号に基づいて外部照明用ＬＥＤ２１を調光点灯するように制御し、第２の検知信号に基づいて外部照明用ＬＥＤ２１の調光度を上げるように制御することができる。
【００３６】
電源回路２０は、テレビドアホン装置の待機時は、親機２００側から伝送線路３００を介して供給される電源電圧（６Ｖ位）で制御部１９へ必要な電源電圧を供給し、テレビドアホン装置の動作時（具体的には呼出ボタン１３操作後）は、親機２００側から伝送線路３００を介して供給される電源電圧（１２〜１３Ｖ）に基づいてカメラ部１４，２−４分離回路１７及び制御部１９等へ必要な電源電圧を供給する。
【００３７】
親機２００は、映像表示部３１、マイク３２及びスピーカ３３、復調回路３７、通話ボタン３４、その他の操作部３５のほかに、録画メモリ回路３８と、駆動回路３９と、検出回路４０と、ボイススイッチ回路４１と、２−４分離回路４２と、親機側制御手段としての制御部４３と、電源回路４４とを備えている。
【００３８】
映像表示部３１は、ＣＲＴ（陰極線管）や、ＬＣＤ（液晶パネル）及び有機ＥＬ等のフラットディスプレイなどで構成され、使用するディスプレイの種類及びサイズ（解像度）に応じて、そのディスプレイに合った表示用信号が駆動回路３９から供給されるようになっている。  
通話ボタン３４は、親機と子機間の通話を自動交互切換方式による自動通話モードに設定及び解除するため操作部である。
【００３９】
マイク３２は、子機１００側の呼出ボタン１３が押された後、親機２００側で通話ボタン３４が押されることによって自動交互切換方式による自動通話モードが設定されたときに、親機２００側の音声入力手段として用いられるものであり、スピーカ３３は、通話中に、子機１００側の来訪者がマイク１１から音声入力したときにその音声信号を親機２００側に音声出力する音声出力手段として用いられるものである。  
復調回路３７は、ＮＴＳＣ映像信号で搬送波（１２〜１３ＭＨｚ）を変調した映像搬送信号を伝送線路３００側より入力し、ＮＴＳＣ映像信号に復調して、録画メモリ回路３８及び駆動回路３９へ供給する。
【００４０】
また、その他の操作部３５は録画ボタン３５-1，再生ボタン３５-2，セットボタン３５-3，モニタボタン３５-4から構成されている。録画ボタン３５-1は、通話中やモニタ中に来訪者を手動録画する操作部である。再生ボタン３５-2は、留守中等の録画映像を再生する操作部である。セットボタン３５-3は、留守時の自動録画モードを設定するなど、設定項目を順次にモニタ表示し設定できる操作部である。モニタボタン３５-4は子機周辺の様子を室内から見たいときにこのボタンを押すことによって所定の時間（例えば３０秒程度）子機側カメラ部１４がとらえた映像を映像表示部３１に表示するための操作部である。
【００４１】
録画メモリ回路３８は、録画メモリを含み、復調回路３７で復調されたＮＴＳＣ映像信号を入力し、録画する。録画した映像信号は、再生ボタン３５-2の操作によって録画メモリ回路３８から再生して映像表示部３１に表示することができる。録画ボタン３５-1，再生ボタン３５-2，検出回路４０，制御部４３及び録画メモリ回路３８は、録画再生手段を構成している。
【００４２】
駆動回路３９は、映像表示部３１の種類に対応した表示部用信号を生成（変換）するものであって、例えば液晶パネルであればその液晶パネルの縦横の画素数に対応した数のサンプリング値（量子化値）を生成してその表示用信号として液晶パネルに供給する。  
検出回路４０は、子機１００側で発生した非接触形物体検知センサ１５による人体等の物体検出信号や呼出ボタン１３の呼出操作による検出信号を検出したり、或いは、親機２００側での通話ボタン３４及びその他の操作部３５の操作による操作信号を検出する。
【００４３】
ボイススイッチ回路４１は、子機１００側のマイク１１からの音声入力に基づいた音声信号のレベルと親機２００側のマイク３２からの音声入力に基づいた音声信号のレベルとを比較し、信号レベルの大きい方の音声信号を優先（選択）して伝送線路３００上に伝送させる。これによって子機側と親機側とが恰も同時に話しているがごとく通話できる。
【００４４】
２−４分離回路４２は、ハイブリッドトランスを備え、共通線路である２線の伝送線路３００を、親機側スピーカ３３への２線線路と親機側マイク３２への２線線路との２線２組の４線に分離する構成を有し、親機側マイク３２からの音声信号を伝送線路３００に導くと共に子機１００側からの音声信号を分離して親機側スピーカ３３に導く。
【００４５】
制御部４３は、マイクロコンピュータやＣＰＵ等で構成され、通話ボタン３４及びその他の操作ボタン３５の操作の結果に基づき、録画メモリ回路３８に対する録画及び再生を制御したり、復調回路３７で復調した映像信号或いは録画メモリ回路３８から再生した映像信号を映像表示部３１に表示するための駆動制御をしたり、ボイススイッチ回路４１における送受話の自動交互切換方式による自動交互通話を制御したりする。
【００４６】
電源回路４４は、図示しない交流電源（ＡＣ）から供給される交流電圧を適宜のレベルの直流電圧に変換して出力するスイッチングレギュレータ等で構成され、検出回路４０や制御部４３等に直流電圧を供給する。テレビドアホン装置の待機時には、６Ｖ程度の直流電圧を生成して親機側制御部４３等に供給すると同時に伝送線路３００を介して子機側の電源回路２０へ供給する。また、テレビドアホン装置の動作時（具体的には呼出ボタン１３操作後）には、１２〜１３Ｖの高い直流電圧を生成して親機２００側の各部へ供給すると同時に伝送線路３００を介して子機側の電源回路２０へ供給する。
【００４７】
なお、子機１００側へ供給する電源電圧は親機２００側の電源回路４４から検出回路４０を経て伝送線路３００を通して子機１００側へ供給される。子機１００側のカメラ部１４等における撮像動作などを考慮して、必要な電源電圧１２〜１３Ｖを子機１００側の電源回路２０に供給する。しかし、インターホン装置としての特性上、来訪者がいない期間が大部分であるため、実際に撮像や通話が実施されない待機状態においては、電力節約のため、１２〜１３Ｖの半分の６Ｖ或いはそれよりさらに低い２〜３Ｖの直流電圧を電源電圧として子機１００側に常時供給している。待機時にはこのように低い直流電圧が電源電圧として供給されていても、制御部１９では非接触形物体検知センサ１５の人体等の物体検出に伴う検知信号、外部照明用ＬＥＤ２１の点灯、或いは呼出ボタン１３の押下（オン）による呼出操作時の基準電位点への短絡による電圧低下を検知信号として検知することが可能であり、その検知信号を伝送線路３００を介して親機２００側へ伝達することができる。親機２００側では、低い電圧レベルの検知信号であっても、これを検出回路４０で検出し、制御部４３はその検出タイミングで電源回路４４を制御して電源電圧を上昇させ親機自身及び子機１００側へも１２〜１３Ｖの電源電圧が供給されるようにしている。
【００４８】
次に、図３を参照して、テレビドアホン装置の外部照明用ＬＥＤ２１による照明動作について、留守中の自動録画を例として説明する。図３は本発明の第１の実施形態のテレビドアホン装置における外部照明用ＬＥＤ２１による照明動作の一例を説明するフローチャートを示している。なお、本発明は、留守中の自動録画時に限らず、在宅者が居て、来訪者があったときにモニタ表示を確認して相互に通話する場合に適用できることは勿論である。  
ここでは、テレビドアホン装置は自動録画モードに設定されて、待機状態（子機及び親機とも電源回路４４からは電源電圧として正規の電圧（例えば１２Ｖ）に比べて低い値の待機電圧（例えば６Ｖ）が出力されている状態）にあるとする。
【００４９】
子機１００側の制御部１９が、来訪者を非接触形物体検知センサ１５で検出したか否かを判定する（ステップＳ1）。  
玄関に来訪者があり、これを子機１００の非接触形物体検知センサ１５が検出すると、子機１００側の制御部１９はそのセンサ検知信号を生成して送出し、２−４分離回路１７及び伝送線路３００を経由して親機２００へ伝送する（ステップＳ2）。センサ検知信号が親機２００内の検出回路４０を経て制御部４３に伝達されると、親機２００側の制御部４３は電源回路４４を制御してその待機電圧（例えば６Ｖ）を正規の電源電圧（例えば１２Ｖ）に上昇させる。この正規の電源電圧は、親機自身の各部へ供給されると同時に、検出回路４０及び伝送線路３００を経由して子機１００へも供給される（ステップＳ3）。
【００５０】
子機１００へ正規の電源電圧が供給されると、子機内の電源回路２０に蓄積した電圧によってカメラ部１４，マイク１１のアンプ（図示せず），駆動回路２３及び制御部１９を含む子機内部の回路が動作状態となる。この状態で、駆動回路２３が照度センサ２２を参照して、照度センサ２２で検出した周囲照度が予め定めた所定照度以下か否かを判定する（ステップＳ4）。ここで、所定照度とは、玄関周辺の明るさが、来訪者が玄関子機１００の位置を容易に見つけることが可能な最低照度である。
【００５１】
ステップＳ4で、検出照度が所定照度以下であれば、子機１００に設けられている外部照明用ＬＥＤ２１を調光点灯する（ステップＳ5）。この調光点灯によって、来訪者は周囲が暗い場合であっても、玄関子機１００の位置を容易に見つけることが可能となり、次の呼出操作判定ステップＳ6に進むことになる。  
ステップＳ4で、検出照度が所定照度より高ければ、周囲の明るさは玄関子機１００の位置を見つけることができる程度以上に明るいため、外部照明用ＬＥＤ２１を点灯することなく、次の呼出操作判定ステップＳ6に進む。
【００５２】
ステップＳ6では、ステップＳ2での非接触形物体検知センサ１５による来訪者の検知後、子機１００側の制御部１９に含まれるタイマー（図示せず）が動作しており、制御部１９はこのタイマーによって来訪者のセンサ検知後から計時を開始して予め定めた所定時間内に呼出ボタン１３による呼出操作が行れたか否かの判定を行う。  
ステップＳ6の判定動作で、所定時間内の呼出操作がされなかった場合には、親機２００から子機１００へ待機時の電源電圧が供給され（ステップＳ11）、再びステップＳ1の待機状態に戻る。
【００５３】
一方、来訪者がセンサ検知後から所定時間内に子機１００の呼出ボタン１３による呼出操作をすると、制御部１９がこれを検知して親機２００側へ呼出信号を送出する。さらに親機２００では、この呼出信号を受けると、制御部４３がピンポン音（呼出音）を生成して子機１００側へ送出し、子機１００のスピーカ１２にてピンポン音を出力する（ステップＳ7）。この呼出信号の送出、ピンポン音の生成及びその出力の動作と同時に、子機１００では制御部１９が駆動回路２３を制御して外部照明用ＬＥＤ２１を１００％点灯させる（ステップＳ8）。
【００５４】
この外部照明用ＬＥＤ２１の１００％点灯と同時に、子機１００側ではカメラ部１４が撮像を行い、ＮＴＳＣ映像信号を出力して変調回路１８を通して親機２００側へ送出する（ステップＳ9）。そして、親機２００側へ送られた映像搬送信号は、復調回路３７でＮＴＳＣ映像信号に復調され、制御部４３の制御の下で録画メモリ回路３８に録画される（ステップＳ10）。なお、録画映像については、日時を含む時間情報と共に録画メモリ（図示せず）に記録される。録画後は、親機２００から子機１００へ待機時の電源電圧が供給され（ステップＳ11）、再びステップＳ1の待機状態に戻る。
【００５５】
なお、図３のフローチャートで、呼出操作の前に外部照明用ＬＥＤ２１を自動的に調光点灯させるのは、来訪者に子機の位置を光で見つけ易くするためであるので、上記のステップＳ3では、正規の電源電圧にすることなく、待機時の待機電圧のままとして外部照明用ＬＥＤ２１に待機電圧による電圧を与えて僅かな光で点灯させ、来訪者が呼出ボタン１３による呼出操作をした後に、親機２００から子機１００へ正規の電源電圧を供給して、外部照明用ＬＥＤ２１が１００％点灯するように動作させてもよい。これは、待機時の待機電圧に基づく僅かな光で点灯させても、周囲が暗い場合には子機の位置を示すには充分な明かりが得られるためである。
【００５６】
また、図３のフローチャートの動作は、家屋内に在宅者が居なく留守中の自動録画モードでの動作例であったが、在宅者が居て、来訪者が呼出操作を行ったときの在宅者と来訪者との通常の通話応答を行うモードでは、来訪者が呼出操作を行うと、制御部１９がこれを検知して親機２００側へ呼出信号を送出し、親機２００では、この呼出信号を受けると、制御部４３がピンポン音を生成して子機１００側へ送出し、子機１００のスピーカ１２にてピンポン音を出力する。このピンポン音の生成後に、在宅者は映像表示部３１に映し出される来訪者の映像をモニタし、来訪者を確認した後、在宅者が親機２００の通話ボタン３４を操作すると、ボイススイッチ回路４１が動作状態となって、親機と子機間でハンズフリーの自動交互通話が可能となる。このような通常の交互通話をテレビドアホン装置で夜間に行う場合にも、図３のような動作を適用できることは勿論である。つまり、来訪者の接近を子機の非接触形物体検知センサ１５で検知することにより、呼出操作の前に外部照明用ＬＥＤ２１を自動的に調光点灯させ、来訪者に子機の位置を光で見つけ易くすることができる。その後に、来訪者が呼出ボタン１３を押すと、外部照明用ＬＥＤ２１が自動的に１００％点灯しかつカメラ部１４が撮像動作して、映像表示部３１に来訪者をモニタ表示させることができる。
【００５７】
第１の実施形態によれば、夜間用照明手段を利用することによって、夜間でも来訪者が外部照明がない玄関付に近くと子機の照明手段が調光した状態で点灯し、容易に子機設置場所を明かりで示すことができる。呼出操作前の調光点灯は、子機の場所が分かる程度の明るさがあればよいので、少ない電力量で済み、消費電力を節約できる。
【００５８】
［第２の実施形態］
本発明の第２の実施形態のテレビドアホン装置の構成は、図１及び図２と同様である。
【００５９】
図４は本発明の第２の実施形態のテレビドアホン装置における外部照明用ＬＥＤによる照明動作を説明するフローチャートを示している。図３の第１の実施形態におけるフローチャートと異なる点は、ステップＳ4A及びステップＳ5Aの部分である。
【００６０】
図４に示すフローチャートのステップＳ4A及びステップＳ5Aは、照度センサ２２が周囲照度を検出し（ステップＳ4A）、その検出照度に応じて駆動回路２３を駆動して外部照明用ＬＥＤ２１を調光点灯する（ステップＳ5A）。
【００６１】
第２の実施形態によれば、呼出操作前の調光点灯は、例えば、夕方は２０％点灯、夜間は５０％点灯のように行い、呼出操作後は、来訪者を撮影可能なように１００％点灯させることができる。或いは、呼出操作前の調光点灯は、照度センサの検出照度が低くなるほど連続的に１００％点灯に近づくように行い、呼出操作後は、来訪者を撮影可能なように１００％点灯させることができる。  
呼出操作前の調光点灯によって、消費電力を節約した点灯が可能になるだけでなく、子機の設置場所が分かる程度の明るさとして周囲照度に対応した適切な照明を行うことができる。
【００６２】
なお、本発明においては、発明の主旨及び範囲から逸脱することなく、広い範囲において異なる実施態様を、本発明に基づいて構成することができることは明白である。本発明は、添付の特許請求の範囲によって限定される以外には、それの特定の実施態様によって制約されない。
【図面の簡単な説明】
【００６３】
【図１】本発明の第１の実施形態のテレビドアホン装置を示すブロック図。
【図２】図１のテレビドアホン装置の平面的な外観図。
【図３】本発明の第１の実施形態のテレビドアホン装置における外部照明用ＬＥＤによる照明動作の一例を説明するフローチャート。
【図４】本発明の第２の実施形態のテレビドアホン装置における外部照明用ＬＥＤによる照明動作の一例を説明するフローチャート。
【符号の説明】
【００６４】
１１，３２…マイク
１２，３３…スピーカ
１３…呼出ボタン
１４…カメラ部
１５…非接触形検知センサ
１９…制御部（子機側制御手段）
２１…外部照明用ＬＥＤ
２２…照度センサ
３１…映像表示部（映像表示手段）
３４…通話ボタン
３８…録画メモリ回路
４３…制御部（親機側制御手段）
１００…子機
２００…親機
【図１】
2008311966.tif 000003
【図２】
2008311966.tif 000004
【図３】
2008311966.tif 000005
【図４】
2008311966.tif 000006